(57)【要約】 【課題】TFT液晶表示器のフリッカーの調整の作業性が悪かった 【解決手段】制御手段11cは予めコモン電圧初期値(Vcom0)と、コモン電圧次回移動量(αVcom)とが設定されリモコン信号発生器11bに対して、最初に当該コモン電圧初期値(Vcom0)を出力しリモコン信号発生器11b、TFT液晶表示器の受信部13a、及びコモン電圧変更処理部13bを介してTFT液晶表示器13のコモン電圧をコモン電圧初期値(Vcom0)に変更し、それに対応してカラーアナライサ゛11aで測定され入力されたフリッカー初期値(F0)を記憶すると共に、次回コモン電圧値として(Vcom0+αVcom)及び(Vcom0-αVcom)を各々リモコン信号発生器11bに出力して同様にTFT液晶表示器13のコモン電圧を変更し、それに対応してカラーアナライサ゛11aで測定され入力された両フリッカー値(F1+)及び(F1-)を各々前記フリッカー初期値(F0)と比較し略F0=F1+且つ略F0=F1-となる極小値に収束させたフリッカー値を以ってフリッカー調整値(Fb)とする。 【選択図】図２
2006215500.tif 000002
【特許請求の範囲】
【請求項１】
ＴＦＴ液晶表示器のフリッカーを調整するために生産工程で使用されるフリッカー調整装置であって、
当該フリッカー調整装置は、
コモン電圧値（Ｖｃｏｍ）データをＴＦＴ液晶表示器にワイヤレスで送信するリモコン信号発生器と、
ＴＦＴ液晶表示器のテストパターンが表示された画面の所定の位置におけるフリッカー値を測定するカラーアナライザと、
当該カラーアナライザで測定されたフリッカー値を入力すると共に、当該フリッカー値を基に演算処理を行い、前記リモコン信号発生器に適宜、コモン電圧値データを出力する制御手段とを有して成り、
前記ＴＦＴ液晶表示器はテレビであって、テレビ操作リモコン用の受信部を兼ねた、前記リモコン信号発生器から送信されたコモン電圧値データを受信する受信部と、
テレビ制御用のコントローラを兼ねた、当該受信部で受信されたコモン電圧値データに従いコモン電圧値を変更するコモン電圧変更処理部とが設けられ、
前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、
更に、前記制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行うことを特徴とする、フリッカー調整装置。
【請求項２】
ＴＦＴ液晶表示器のフリッカーを調整するために生産工程で使用されるフリッカー調整装置であって、
当該フリッカー調整装置は、
コモン電圧値（Ｖｃｏｍ）データをＴＦＴ液晶表示器にワイヤレスで送信するリモコン信号発生器と、
ＴＦＴ液晶表示器のテストパターンが表示された画面の所定の位置におけるフリッカー値を測定するカラーアナライザと、
当該カラーアナライザで測定されたフリッカー値を入力すると共に、当該フリッカー値を基に演算処理を行い、前記リモコン信号発生器に適宜、コモン電圧値データを出力する制御手段とを有して成り、
前記ＴＦＴ液晶表示器には、前記リモコン信号発生器から送信されたコモン電圧値データを受信する受信部と、
当該受信部で受信されたコモン電圧値データに従いコモン電圧値を変更するコモン電圧変更処理部とが設けられ、
前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とすることを特徴とする、フリッカー調整装置。
【請求項３】
ＴＦＴ液晶表示器のフリッカーを調整するために生産工程で使用されるフリッカー調整装置であって、
当該ＴＦＴ液晶表示器に設けられた、リモコン信号発生器からワイヤレスで送信されたコモン電圧値データを受信する前記受信部は、テレビ操作リモコン用の受信部を兼ね、
当該ＴＦＴ液晶表示器に設けられた、受信部で受信されたコモン電圧値データに従いコモン電圧値を変更する前記コモン電圧変更処理部は、テレビ制御用のコントローラを兼ねることを特徴とする、請求項２に記載のフリッカー調整装置。
【請求項４】
ＴＦＴ液晶表示器のフリッカーを調整するために生産工程で使用されるフリッカー調整装置であって、
前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、
更に、前記制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行うことを特徴とする、請求項２或いは請求項３に記載のフリッカー調整装置。
【請求項５】
ＴＦＴ液晶表示器のフリッカーを調整するために生産工程で使用されるフリッカー調整方法であって、
当該フリッカー調整方法は、
制御手段が、予め設定されたコモン電圧初期値（Ｖｃｏｍ０）をリモコン信号発生器に出力し、リモコン信号発生器は入力された当該コモン電圧初期値（Ｖｃｏｍ０）データをテレビであるＴＦＴ液晶表示器にワイヤレスで送信し、当該コモン電圧初期値（Ｖｃｏｍ０）データをテレビ操作リモコン用の受信部を兼ねた受信部で受信したＴＦＴ液晶表示器は、テレビ制御用のコントローラを兼ねたコモン電圧変更処理部でコモン電圧値をコモン電圧初期値（Ｖｃｏｍ０）に変更し、カラーアナライザは、コモン電圧初期値（Ｖｃｏｍ０）に変更されたＴＦＴ液晶表示器の画面の所定の位置におけるフリッカー初期値（Ｆ０）を測定して制御手段に出力し、
制御手段は入力された当該フリッカー初期値（Ｆ０）を記憶すると共に、予め設定されたコモン電圧次回移動量（αＶｃｏｍ）から、次回コモン電圧値として（Ｖｃｏｍ０＋αＶｃｏｍ）及び（Ｖｃｏｍ０−αＶｃｏｍ）を算出してリモコン信号発生器に出力し、リモコン信号発生器は入力された当該次回コモン電圧値（Ｖｃｏｍ０＋αＶｃｏｍ），（Ｖｃｏｍ０−αＶｃｏｍ）各データをＴＦＴ液晶表示器に送信し、当該次回コモン電圧値（Ｖｃｏｍ０＋αＶｃｏｍ），（Ｖｃｏｍ０−αＶｃｏｍ）データを受信部で受信したＴＦＴ液晶表示器は、コモン電圧変更処理部でコモン電圧値を次回コモン電圧値（Ｖｃｏｍ０＋αＶｃｏｍ），（Ｖｃｏｍ０−αＶｃｏｍ）に順次変更し、カラーアナライザは、次回コモン電圧値（Ｖｃｏｍ０＋αＶｃｏｍ），（Ｖｃｏｍ０−αＶｃｏｍ）に順次変更されたＴＦＴ液晶表示器の画面の所定の位置におけるフリッカー値（Ｆ１＋）及び（Ｆ１−）を順次測定して制御手段に出力し、
制御手段は、入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、
更に、制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行うことを特徴とする、フリッカー調整方法。
【発明の詳細な説明】
【技術分野】
【０００１】
本発明は、ＴＦＴ液晶表示器のフリッカーを調整するために生産工程で使用されるフリッカー調整装置及びフリッカー調整方法に関する。
【背景技術】
【０００２】
近年、液晶表示装置の技術開発が大きく伸展し、その低消費電力、或いは薄さ等の優れた特徴からテレビ、パソコン用モニター、携帯電話等に幅広く普及しつつある。中でも、テレビ用途向けでは、低コスト化と大型化が可能となり、ＴＶ放送のデジタル化に伴う買い替え需要や日本の狭い住宅事情とも合致して、従来のブラウン管方式にとって替わり、市場が大きく拡大している。
【０００３】
こうした液晶表示装置はその代表的な駆動方式として、ＴＦＴ(Thin Film Transister)型とＳＴＮ(Super Twisted Nematic)型とが挙げられる。この内、テレビ用途向けの液晶表示装置としては、動画再生の点で優れるＴＦＴ型が主流となっている。
【０００４】
ＴＦＴ型液晶表示装置は、電極駆動用トラジスタに特性上のバラツキがあり、対向電極のＡＣ電圧が反転中心電圧（コモン電圧）からずれて、液晶表示パネルにフリッカー（ちらつき）が発生し易い。このため、生産工程においてフリッカーを調整する必要がある。
【０００５】
従来、こうしたフリッカー調整は、オペレータが液晶画面を目視してフリッカー量を観測し、対向電極に印加する電圧を可変させて画面上のちらつきが最小になったことを判断して調整するという方法をとっていた。しかし、このような人による官能的な方法では、オペレータ個々のくせや体調により調整にばらつきが生じ、そのばらつきでフリッカを最小に調整することができずに表示品質を低下させたり、最適な駆動電圧を印加できずに液晶の劣化を招いたりしてしまうことがあった。また、オペレータの調整手順に熟練を要するという問題もあった。
【０００６】
そこでこうした問題を解決するために、フリッカーの検出手段と制御手段とを用いてフリッカー調整を自動的に行う方法が提案されている。
【０００７】
例えば、特開平５−３２３３７９号公報（特許文献１）に開示されているように、輝度計で液晶画面の輝度を測定し、最小輝度になったことを検出、電圧制御手段でこの時の対向電圧とするような構成が知られている。
【０００８】
また、特開平８−２８６１６９号公報（特許文献２）に開示されているように、受光部で得られた信号を基に電圧変換部でフリッカーの強弱を検出、電圧変換後、デジタル変換してデータ処理回路に入力し、最適対向電圧を算出する構成が知られている。
【特許文献１】特開平５−３２３３７９号公報
【特許文献２】特開平８−２８６１６９号公報
【発明の開示】
【発明が解決しようとする課題】
【０００９】
しかしながら、上述した特許文献１においては、画面の輝度の最小値を探すために印加する電圧の変化は、液晶で通常に設定される６ボルトを基に４〜８ボルトの範囲でくまなく一律的に行われる。したがって、画面の輝度の最小値を探すのに要する時間は、前記したようなオペレータによる官能的な探索よりは効率的ではあるが、不必要な範囲までも探索されていることになり、今尚、無駄な部分が多い。
【００１０】
また、フリッカーを測定、調整するための輝度計や制御手段等の各構成装置、及び調整する液晶パネルとは電気的に接続されている必要がある。フリッカー調整作業は通常、生産工程で成され、更に各液晶パネルがライン上で順次流れ作業により行われるのが一般的である。こうした点を鑑みた場合、各液晶パネルのフリッカーの調整に際しては、調整装置の各液晶パネル毎に装着と脱着作業が必要となり、作業性が極めて悪い。
【００１１】
こうした問題は特許文献２に開示されている構成でもやはり同様である。すなわち、画面の最小フリッカー強度を探索するために液晶パネルの対向電極に供給する電圧は、低い電圧から高い電圧にカウンタを１ビット毎に変化させて一律的に行っている。したがって、画面の最小フリッカー値を探すのに要する時間は、前記したようなオペレータによる官能的な探索よりは効率的ではあるが、不必要な範囲までも探索されていることになり、今尚、無駄な部分が多い。
【００１２】
また、フリッカーを測定、調整するための受光部、電圧変換部、処理回路等の各構成装置、及び調整する液晶パネルとは電気的に接続されている必要がある。よって、生産工程におけるライン上の各液晶パネルのフリッカーの調整に際しては、調整装置の各液晶パネル毎に装着と脱着作業が必要となり、作業性が極めて悪い。
【００１３】
本発明は、上記課題にかんがみてなされたもので、生産工程で行われるＴＦＴ液晶表示器のフリッカーの調整について、オペレータによる官能的な調整に頼ることなく、自動的に迅速且つ正確なフリッカー調整を行えると同時に、生産工程のライン上における各液晶表示器への装着と脱着作業を不要にした作業性の高いフリッカー調整装置及びフリッカー調整方法を提供することを目的とする。
【課題を解決するための手段】
【００１４】
上記問題を解決する為に請求項１に記載の発明は、ＴＦＴ液晶表示器のフリッカーを調整するために生産工程で使用されるフリッカー調整装置であって、当該フリッカー調整装置は、コモン電圧値（Ｖｃｏｍ）データをＴＦＴ液晶表示器にワイヤレスで送信するリモコン信号発生器と、ＴＦＴ液晶表示器のテストパターンが表示された画面の所定の位置におけるフリッカー値を測定するカラーアナライザと、当該カラーアナライザで測定されたフリッカー値を入力すると共に、当該フリッカー値を基に演算処理を行い、前記リモコン信号発生器に適宜、コモン電圧値データを出力する制御手段とを有して成り、前記ＴＦＴ液晶表示器はテレビであって、テレビ操作リモコン用の受信部を兼ねた、前記リモコン信号発生器から送信されたコモン電圧値データを受信する受信部と、テレビ制御用のコントローラを兼ねた、当該受信部で受信されたコモン電圧値データに従いコモン電圧値を変更するコモン電圧変更処理部とが設けられ、前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、更に、前記制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行う構成としている。
【００１５】
上記のように構成した請求項１に記載の発明によれば、生産工程におけるＴＦＴ液晶表示器のフリッカー調整について、オペレータの官能的な作業に拠るところなく自動的に、フリッカー値が最小となるコモン電圧が演算される。
【００１６】
また、生産工程のラインにおける各ＴＦＴ液晶表示器のフリッカー調整時には、直前に行われた調整時に求めた前記フリッカー調整値（Ｆｂ）を流用してコモン電圧初期値（Ｖｃｏｍ０）に置換した上で演算するので、範囲が絞られ、無駄なコモン電圧範囲での探索が排除される。
【００１７】
更に、フリッカー調整装置からＴＦＴ液晶表示器へのデータ送信は、ＴＦＴ液晶表示器のテレビ操作リモコン用の受信部を兼ねた受信部と、テレビ制御用のコントローラを兼ねたコモン電圧変更処理部とを介して、リモコン信号発生器によりワイヤレスで行われるので、生産工程のライン上における各液晶表示器へのフリッカー調整装置の装着と脱着作業が不要となる。
【００１８】
請求項２に記載の発明は、ＴＦＴ液晶表示器のフリッカーを調整するために生産工程で使用されるフリッカー調整装置であって、当該フリッカー調整装置は、コモン電圧値（Ｖｃｏｍ）データをＴＦＴ液晶表示器にワイヤレスで送信するリモコン信号発生器と、ＴＦＴ液晶表示器のテストパターンが表示された画面の所定の位置におけるフリッカー値を測定するカラーアナライザと、当該カラーアナライザで測定されたフリッカー値を入力すると共に、当該フリッカー値を基に演算処理を行い、前記リモコン信号発生器に適宜、コモン電圧値データを出力する制御手段とを有して成り、前記ＴＦＴ液晶表示器には、前記リモコン信号発生器から送信されたコモン電圧値データを受信する受信部と、当該受信部で受信されたコモン電圧値データに従いコモン電圧値を変更するコモン電圧変更処理部とが設けられ、前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とする構成としている。
【００１９】
上記のように構成した請求項２に記載の発明によれば、生産工程におけるＴＦＴ液晶表示器のフリッカー調整について、オペレータの官能的な作業に拠るところなく自動的に、フリッカー値が最小となるコモン電圧が演算される。
【００２０】
請求項３に記載の発明は、ＴＦＴ液晶表示器のフリッカーを調整するために生産工程で使用されるフリッカー調整装置であって、当該ＴＦＴ液晶表示器に設けられた、リモコン信号発生器からワイヤレスで送信されたコモン電圧値データを受信する前記受信部は、テレビ操作リモコン用の受信部を兼ね、当該ＴＦＴ液晶表示器に設けられた、受信部で受信されたコモン電圧値データに従いコモン電圧値を変更する前記コモン電圧変更処理部は、テレビ制御用のコントローラを兼ねる構成としている。
【００２１】
上記のように構成した請求項３に記載の発明によれば、上記した請求項２に記載の発明の作用に加え、フリッカー調整装置からＴＦＴ液晶表示器へのデータ送信は、ＴＦＴ液晶表示器のテレビ操作リモコン用の受信部を兼ねた受信部と、テレビ制御用のコントローラを兼ねたコモン電圧変更処理部とを介して、リモコン信号発生器によりワイヤレスで行われるので、生産工程のライン上における各液晶表示器へのフリッカー調整装置の装着と脱着作業が不要となる。
【００２２】
請求項４に記載の発明は、ＴＦＴ液晶表示器のフリッカーを調整するために生産工程で使用されるフリッカー調整装置であって、前記制御手段は、予めコモン電圧初期値（Ｖｃｏｍ０）と、コモン電圧次回移動量（αＶｃｏｍ）とが設定され、前記リモコン信号発生器に対して最初に当該コモン電圧初期値（Ｖｃｏｍ０）を出力し、リモコン信号発生器、ＴＦＴ液晶表示器の受信部、及びコモン電圧変更処理部を介してＴＦＴ液晶表示器のコモン電圧をコモン電圧初期値（Ｖｃｏｍ０）に変更し、それに対応してカラーアナライザで測定され入力されたフリッカー初期値（Ｆ０）を記憶すると共に、次回コモン電圧値として（Ｖｃｏｍ０＋αＶｃｏｍ）及び（Ｖｃｏｍ０−αＶｃｏｍ）を各々リモコン信号発生器に出力して同様にＴＦＴ液晶表示器のコモン電圧を変更し、それに対応してカラーアナライザで測定され入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、更に、前記制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行う構成としている。
上記のように構成した請求項４に記載の発明によれば、上記した請求項２、或いは請求項３に記載の発明の作用に加え、生産工程のラインにおける各ＴＦＴ液晶表示器のフリッカー調整時には、直前に行われた調整時に求めた前記フリッカー調整値（Ｆｂ）を流用してコモン電圧初期値（Ｖｃｏｍ０）に置換した上で演算するので、範囲が絞られ、無駄なコモン電圧範囲での探索が排除される。
【００２３】
上記したフリッカー調整装置は、装置としてのみならず、方法として構成することも可能である。そこで、請求項５に記載の発明は、ＴＦＴ液晶表示器のフリッカーを調整するために生産工程で使用されるフリッカー調整方法であって、当該フリッカー調整方法は、制御手段が、予め設定されたコモン電圧初期値（Ｖｃｏｍ０）をリモコン信号発生器に出力し、リモコン信号発生器は入力された当該コモン電圧初期値（Ｖｃｏｍ０）データをテレビであるＴＦＴ液晶表示器にワイヤレスで送信し、当該コモン電圧初期値（Ｖｃｏｍ０）データをテレビ操作リモコン用の受信部を兼ねた受信部で受信したＴＦＴ液晶表示器は、テレビ制御用のコントローラを兼ねたコモン電圧変更処理部でコモン電圧値をコモン電圧初期値（Ｖｃｏｍ０）に変更し、カラーアナライザは、コモン電圧初期値（Ｖｃｏｍ０）に変更されたＴＦＴ液晶表示器の画面の所定の位置におけるフリッカー初期値（Ｆ０）を測定して制御手段に出力し、制御手段は入力された当該フリッカー初期値（Ｆ０）を記憶すると共に、予め設定されたコモン電圧次回移動量（αＶｃｏｍ）から、次回コモン電圧値として（Ｖｃｏｍ０＋αＶｃｏｍ）及び（Ｖｃｏｍ０−αＶｃｏｍ）を算出してリモコン信号発生器に出力し、リモコン信号発生器は入力された当該次回コモン電圧値（Ｖｃｏｍ０＋αＶｃｏｍ），（Ｖｃｏｍ０−αＶｃｏｍ）各データをＴＦＴ液晶表示器に送信し、当該次回コモン電圧値（Ｖｃｏｍ０＋αＶｃｏｍ），（Ｖｃｏｍ０−αＶｃｏｍ）データを受信部で受信したＴＦＴ液晶表示器は、コモン電圧変更処理部でコモン電圧値を次回コモン電圧値（Ｖｃｏｍ０＋αＶｃｏｍ），（Ｖｃｏｍ０−αＶｃｏｍ）に順次変更し、カラーアナライザは、次回コモン電圧値（Ｖｃｏｍ０＋αＶｃｏｍ），（Ｖｃｏｍ０−αＶｃｏｍ）に順次変更されたＴＦＴ液晶表示器の画面の所定の位置におけるフリッカー値（Ｆ１＋）及び（Ｆ１−）を順次測定して制御手段に出力し、制御手段は、入力された両フリッカー値（Ｆ１＋）及び（Ｆ１−）を、各々前記フリッカー初期値（Ｆ０）と比較し、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）として同様にフリッカー値演算を繰り返し、略Ｆ０＝Ｆ１＋且つ略Ｆ０＝Ｆ１−となる極小値に収束させたフリッカー値を以ってフリッカー調整値（Ｆｂ）とし、更に、制御手段は、次のＴＦＴ液晶表示器のフリッカー調整時には、直前に求めた前記フリッカー調整値（Ｆｂ）をコモン電圧初期値（Ｖｃｏｍ０）に置換した上で、同様の演算処理を行う構成としている。
【００２４】
上記のように構成した請求項５に記載の発明によれば、請求項１に記載の発明と同様の作用が得られる方法を提供できる。
【発明の効果】
【００２５】
請求項１に記載の発明によれば、生産工程におけるＴＦＴ液晶表示器のフリッカー調整について、オペレータの官能的な作業に拠るところなく自動的に、フリッカー値が最小となるコモン電圧が演算される。従って、正確且つ迅速なフリッカー調整が行い得る。
【００２６】
また、生産工程のラインにおける各ＴＦＴ液晶表示器のフリッカー調整時には、直前に行われた調整時に求めた前記フリッカー調整値（Ｆｂ）を流用してコモン電圧初期値（Ｖｃｏｍ０）に置換した上で演算するので、範囲が絞られ、無駄なコモン電圧範囲での探索が排除される。よって、より一層の時間短縮を図れる。
更に、フリッカー調整装置からＴＦＴ液晶表示器へのデータ送信は、ＴＦＴ液晶表示器のテレビ操作リモコン用の受信部を兼ねた受信部と、テレビ制御用のコントローラを兼ねたコモン電圧変更処理部とを介して、リモコン信号発生器によりワイヤレスで行われるので、生産工程のライン上における各液晶表示器へのフリッカー調整装置の装着と脱着作業が不要となる。従って、生産ラインにおける作業性を大幅に向上することができる。また、元々装備されているテレビ用の受信部とコントローラを兼用することで、低コスト化が図れる。
【００２７】
請求項２に記載の発明によれば、生産工程におけるＴＦＴ液晶表示器のフリッカー調整について、オペレータの官能的な作業に拠るところなく自動的に、フリッカー値が最小となるコモン電圧が演算される。従って、正確且つ迅速なフリッカー調整が行い得る。
【００２８】
請求項３に記載の発明によれば、請求項２に記載の効果に加え、フリッカー調整装置からＴＦＴ液晶表示器へのデータ送信は、ＴＦＴ液晶表示器のテレビ操作リモコン用の受信部を兼ねた受信部と、テレビ制御用のコントローラを兼ねたコモン電圧変更処理部とを介して、リモコン信号発生器によりワイヤレスで行われるので、生産工程のライン上における各液晶表示器へのフリッカー調整装置の装着と脱着作業が不要となる。従って、生産ラインにおける作業性を大幅に向上することができる。また、元々装備されているテレビ用の受信部とコントローラを兼用することで、低コスト化が図れる。
【００２９】
請求項４に記載の発明によれば、上記した請求項２、或いは請求項３に記載の発明の効果に加え、生産工程のラインにおける各ＴＦＴ液晶表示器のフリッカー調整時には、直前に行われた調整時に求めた前記フリッカー調整値（Ｆｂ）を流用してコモン電圧初期値（Ｖｃｏｍ０）に置換した上で演算するので、範囲が絞られ、無駄なコモン電圧範囲での探索が排除される。よって、より一層の時間短縮を図れる。
【００３０】
請求項５に記載の発明によれば、請求項１に記載の発明と同様の効果が得られる方法を提供できる。
【発明を実施するための最良の形態】
【００３１】
以下、本発明を具体化した実施例について説明する。
【実施例１】
【００３２】
図１は、本実施例のフリッカー調整装置を説明する概略斜視図である。
【００３３】
フリッカー調整装置は、生産工程におけるベルトコンベアライン１２内に設置されている。ベルト１２ａ上に一定間隔で設けられたパレット１２ｂには、フリッカー調整されるＴＦＴ液晶表示器としての液晶テレビ１３が画面が上方となるように各々載置され、順次、ベルト１２ａの移動と共に移動する。各パレット１２ｂには電源コンセント１２ｃが設けられ、ベルト１２ａ上を載置され移動している間、各液晶テレビ１３に給電されるようになっている。
【００３４】
ベルトコンベアライン１２の所定位置には、フリッカー調整を行う暗視ボックス１４が設けられている。暗視ボックス１４は、下方が開口されてベルトコンベアライン１２の所定位置を上方から覆うように配置され、その内部をベルト１２ａ及び、パレット１２ｂに載置された液晶テレビ１３が通過するため、両側面に出入口１４ａが設けられている。更に、当該出入口１４ａには外部からの光が侵入しないように暗幕簾１４ｂが設けられている。尚、当該暗視ボックス１４の高さは、フリッカー調整時に内部に移動してきた液晶テレビ１３の画面と後述するカラーアナライザ１１ａの間隔が、フリッカー値測定に必要な所定距離を確保できる程度に設定されている。
【００３５】
前記暗視ボックス１４内部には、その上部にリモコン信号発生器１１ｂと、カラーアナライザ１１ａが設けられている。リモコン信号発生器１１ｂは、ライン１２上を流れて暗視ボックス１４内に移動してきた液晶テレビ１３のテレビ操作リモコン用の受信部１３ａに、後述するコモン電圧値データを送信可能な位置に設けられる一方、カラーアナライザ１１ａは、同じくライン１２上を流れて暗視ボックス１４内に移動してきた液晶テレビ１３の画面にフリッカー調整時に映し出される市松模様のテストパターンの所定位置のフリッカー値を測定可能な位置に設けられる。尚、本実施例では、上記所定位置は、液晶テレビ１３の画面の中央であり、液晶テレビ１３の画面とカラーアナライザ１１ａとの間の垂直距離は、例えば５０ｃｍに設定されている。
又、前記暗視ボックス１４の外には制御手段としてのＰＣ（パーソナルコンピュータ）１１ｃが設けられている。
【００３６】
図２に、本実施例のフリッカー調整装置１１を説明するブロック図を示す。同図に示すとおり、暗視ボックス１４内に設けられた前記リモコン信号発生器１１ｂと前記カラーアナライザ１１ａは、暗視ボックス１４外に設けられたＰＣ１１ｃと各々、入出力可能に接続されている。
【００３７】
即ち、カラーアナライザ１１ａからＰＣ１１ｃに対しては、当該カラーアナライザ１１ａで測定した液晶テレビ１３の画面中央のフリッカー値が入力可能に接続される一方、ＰＣ１１ｃからリモコン信号発生器１１ｂに対しては、入力された当該フリッカー値を基にＰＣ１１ｃにて後述する演算処理を行い、適宜、コモン電圧値データを出力可能に接続される。又、ＰＣ１１ｃには、予めコモン電圧初期値（Ｖｃｏｍ０）と、コモン電圧次回移動量（αＶｃｏｍ）とが設定され、後述する演算処理の際に適宜、使用される。
【００３８】
一方、液晶テレビ１３は、図７に示すブロック図のような構成となっている。即ち、液晶テレビ１３は、本体の動作を制御するコントローラ１３ｂと、図示していないアンテナで受信されるテレビ放送信号から選択されているチャンネルのテレビ放送信号を抽出し、出力するチューナ１３ｄと、該チューナ１３ｄが出力したテレビ放送信号に基く映像を液晶画面１３ｅに表示する映像処理部１３ｆと、該チューナ１３ｄが出力したテレビ放送信号に基く音声をスピーカ１３ｇから出力する音声処理部１３ｈと、リモコン１３ｉから送信されてきた制御コマンドを受信するリモコン受信部１３ａとを備えている。
【００３９】
コントローラ１３ｂは、リモコン受信部１３ａで受信した制御コマンドに応じて、電源のオン／オフ、チャンネルの切換、音量のアップ／ダウン等を制御する。液晶テレビ１３の各部には、図示していない電源回路から動作電源が供給されている。この電源回路の入力は、商用電源（例えば、ＡＣ１００Ｖ）である。
【００４０】
本実施例では、液晶テレビ１３に元々備えられた前記リモコン受信部１３ａをリモコン信号発生器１１ｂから送信されたコモン電圧値データを受信する受信部１３ａと兼用するようしている。同様に、液晶テレビ１３に元々備えられた前記コントローラ１３ｂを、前記受信部１３ａで受信されたコモン電圧値データに従いコモン電圧値を変更するコモン電圧変更処理部１３ｂと兼用するようにしている。従って、受信部１３ａとコモン電圧変更処理部に１３ｂついて、何ら新たな装置の追加を必要としない。
【００４１】
尚、本実施例では、テレビ操作リモコンと受信部との間の送受信は例えば赤外光が用いられており、当該受信部とリモコン信号発生器１１ｂとの間のコモン電圧データの送受信も同様の赤外光が用いられる。
【００４２】
液晶テレビ１３に設けられた前記受信部１３ａ及び前記コモン電圧変更処理部１３ｂの機能を説明するブロック図を図３〜４に示す。図３に示すように、本実施例における受信部１３ａには、フォトダイオード１３ａ１が設けられている。当該フォトダイオード１３ａ１は、リモコン信号発生器１１ｂからの赤外光が入光されると導通されるようになっており、当該導通に伴い受信部１３ａの出力ポートからＨｉ  ｏｒ  Ｌｏの信号がコモン電圧変更処理部１３ｂへ出力されることになる。
【００４３】
コモン電圧変更処理部１３ｂは受信部１３ａより入力された当該Ｈｉ  ｏｒ  Ｌｏの信号をＰＷＭ(Pulse Width Modulation)制御により所望のコモン電圧に変換し、液晶テレビ１３のコモン電圧端子に出力し、適正なフリッカー調整を行う。
【００４４】
即ち、図４に示すように、前記コモン電圧変更処理部１３ｂは、マイコン１３ｂ１、ＰＷＭ電圧変換回路１３ｂ２、及び増幅回路１３ｂ３から構成される。前記受信部１３ａから出力されたＨｉ  ｏｒ  Ｌｏの信号は、マイコン１３ｂ１に入力される。マイコン１３ｂ１はこの入力信号からＰＷＭパルスを発生し、ＰＷＭ電圧変換回路１３ｂ２に出力する。ＰＷＭ電圧変換回路１３ｂ２では、入力されたＰＷＭパルスのデューティ比から相応する電圧に変換し、増幅回路１３ｂ３に出力する。増幅回路１３ｂ３では、入力された電圧を必要な電圧まで増幅した上で、コモン電圧端子１３ｃに出力する。液晶テレビ１３は、当該コモン電圧端子１３ｃに印加された電圧によって、適正なフリッカー調整が成される。
【００４５】
尚、前記マイコン１３ｂ１には不図示のＲＯＭが設けられ、テレビ視聴時に通常使用される処理を行うノーマルモードと、こうした生産工程において行われるフリッカー調整処理を行うファクトリーモードとが各々記憶されており、フリッカー調整を行う際には、液晶テレビ１３はファクトリーモードに切り替えられている。
【００４６】
上記の通り、本実施例においては、液晶テレビ１３に元々備わっているテレビ操作リモコン用の受信部と、テレビ制御用のコントローラを、フリッカー調整時にコモン電圧値データを受信する受信部１３ａ、及びコモン電圧値を変更するコモン電圧変更処理部１３ｂとして兼用し、リモコン信号発生器１１ｂからのコモン電圧データの送信をワイヤレスで行うようにしている。その結果、生産工程のライン１２上における各液晶表示器１３へのフリッカー調整装置の装着と脱着作業が不要となる。従って、生産ラインにおける作業性を大幅に向上することができる。また、元々装備されているテレビ用の受信部とコントローラを兼用することで、低コスト化が図れる。
【００４７】
本実施例では、以上のように配された前記ＰＣ１１ｃ、前記カラーアナライザ１１ａ、及び前記リモコン信号発生器１１ｂとでフリッカー調整装置１１が構成される。
【００４８】
次に、フリッカー調整装置１１の制御内容について、主に図５に示すフローチャートに基づいて以下に説明する。
【００４９】
ライン１２上のパレット１２ｂに載置された液晶テレビ１３は、画面に市松模様のテストパターンが表示された状態で、ベルトコンベア１２ａの移動に伴い、前記暗視ボックス１４内に搬入される。
【００５０】
すると、ＰＣ１１ｃは、前記リモコン信号発生器１１ｂに対して、予め設定されているコモン電圧初期値（Ｖｃｏｍ０）を出力する（Ｓ１０）。このコモン電圧初期値（Ｖｃｏｍ０）は、最小フリッカー値を探索するために順次変更していくコモン電圧の開始値のことであり、任意の値、或いは予め一定範囲に絞り込まれている場合には、その範囲内の値で設定される。
【００５１】
リモコン信号発生器１１ｂは、ＰＣ１１ｃより入力された前記コモン電圧初期値（Ｖｃｏｍ０）のデータを液晶テレビ１３の受信部１３ａに送信する（Ｓ１１）。液晶テレビ１３は、受信部１３ａで受信したコモン電圧初期値（Ｖｃｏｍ０）データに基づき、コモン電圧変更処理部１３ｂを介してコモン電圧を変更する（Ｓ１２）。
【００５２】
カラーアナライザ１１ａは、コモン電圧初期値（Ｖｃｏｍ０）に変更された状態の液晶テレビ１３の画面のテストパターンのフリッカー初期値（Ｆ０）を測定し、ＰＣ１１ｃに出力する（Ｓ１３）。ＰＣ１１ｃは入力された当該フリッカー初期値（Ｆ０）を記憶すると共に、予め設定されているコモン電圧次回移動量（αＶｃｏｍ）に基づき、次回コモン電圧値として（Ｖｃｏｍ０＋αＶｃｏｍ）及び（Ｖｃｏｍ０−αＶｃｏｍ）を各々リモコン信号発生器１１ｂに出力する（Ｓ１４）。このコモン電圧次回移動量（αＶｃｏｍ）は、最小フリッカー値を探索するために順次変更していくコモン電圧の移動量である。
【００５３】
リモコン信号発生器１１ｂは、ＰＣ１１ｃより入力された前記次回コモン電圧値（Ｖｃｏｍ０＋αＶｃｏｍ）及び（Ｖｃｏｍ０−αＶｃｏｍ）のデータを液晶テレビ１３の受信部１３ａに順次送信する（Ｓ１５）。液晶テレビ１３は、受信部１３ａで受信した次回コモン電圧値（Ｖｃｏｍ０＋αＶｃｏｍ）及び（Ｖｃｏｍ０−αＶｃｏｍ）データに基づき、コモン電圧変更処理部１３ｂを介してコモン電圧を順次変更する（Ｓ１６）。
【００５４】
カラーアナライザ１１ａは、次回コモン電圧値（Ｖｃｏｍ０＋αＶｃｏｍ）及び（Ｖｃｏｍ０−αＶｃｏｍ）に順次変更された状態の液晶テレビ１３画面のテストパターンの両フリッカー値（Ｆ１＋）及び（Ｆ１−）を測定し、ＰＣ１１ｃに出力する（Ｓ１７）。ＰＣ１１ｃは、入力された両フリッカー値（Ｆ１＋）及び（Ｆ１−）を、記憶した各々前記フリッカー初期値（Ｆ０）と比較し（Ｓ１８）、Ｆ０＞Ｆ１＋且つＦ０＜Ｆ１−である場合にはフリッカー値（Ｆ１＋）に対応するコモン電圧値（Ｖｃｏｍ０＋αＶｃｏｍ）を選択して次回のコモン電圧初期値（Ｖｃｏｍ１）とする（Ｓ１９）一方、Ｆ０＜Ｆ１＋且つＦ０＞Ｆ１−である場合にはフリッカー値（Ｆ１−）に対応するコモン電圧値（Ｖｃｏｍ０−αＶｃｏｍ）を選択して次回のコモン電圧初期値（Ｖｃｏｍ１）とする（Ｓ２０）。
【００５５】
そして、図６に示すように、略Ｆ０＝Ｆ１＋且つ略Ｆ０＝Ｆ１−となる極小値Ｐに収束したか否かを判別し（Ｓ２１）、収束していれば、フリッカー値を以ってフリッカー調整値（Ｆｂ）とする（Ｓ２２）一方、収束していなければステップＳ１８からの処理を繰り返す。フリッカー値をフリッカー調整値（Ｆｂ）に設定後、ＰＣ１１ｃは当該フリッカー調整値（Ｆｂ）に対応するコモン電圧値を予め設定されているコモン電圧初期値（Ｖｃｏｍ０）に置換し、ライン１２上の次の液晶テレビ１３におけるフリッカー調整の際に演算処理する際のコモン電圧初期値（Ｖｃｏｍ０）として適用可能とした状態（Ｓ２３）で処理を終了する。
【００５６】
以降、順次ライン１２上を流れてくる液晶テレビ１３毎に同じ処理が繰り返され、同様にフリッカー調整が行われる。
【００５７】
このように、本実施例におけるＰＣ１１ｃによるフリッカー調整の処理では、次回コモン電圧値（Ｖｃｏｍ０＋αＶｃｏｍ）及び（Ｖｃｏｍ０−αＶｃｏｍ）に対応する両フリッカー値（Ｆ１＋）及び（Ｆ１−）をフリッカー初期値（Ｆ０）と比較することで、極小値に収束させるようにしたので、オペレータの官能的な作業に拠るところなく自動的に、フリッカー値が最小となるコモン電圧が演算され、正確且つ迅速なフリッカー調整が行い得る。
【００５８】
その上、直前の液晶テレビ１３でのフリッカー調整の際に演算された、フリッカー値が最小となるコモン電圧を、次の液晶テレビ１３でのフリッカー調整の際に、コモン電圧初期値（Ｖｃｏｍ０）として置き換えるようにしたので、範囲が絞られ、無駄なコモン電圧範囲での探索が排除される。よって、より一層の時間短縮を図れる。
【００５９】
以上に説明したように、本実施例におけるフリッカー調整装置においては、生産工程におけるＴＦＴ液晶表示器のフリッカー調整について、フリッカー調整装置から液晶テレビへのコモン電圧データ送信をワイヤレスで自動的に行うようにした。従って、正確且つ迅速で、高い作業性を兼ね備えたフリッカー調整を低コストに行い得る。
【００６０】
更に、直前の調整時に求めたフリッカー調整値（Ｆｂ）を次の調整時のコモン電圧初期値（Ｖｃｏｍ０）に置換した上で演算することで、より一層の時間短縮を図れる。
【００６１】
尚、本願発明は本実施例の構成に限定されるものではなく、以下に列記する構成について、適宜変更可能である。
【００６２】
１．液晶テレビの画面のフリッカー値を測定する手段は、本実施例におけるカラーアナライザに限定されるものではなく、ＰＣが演算処理可能にフリッカー値を入力できる他のセンサー等であっても良い。例えば、輝度計などが挙げられる。
【００６３】
２．ＴＦＴ液晶表示器は、本実施例におけるような液晶テレビに限定されるものではなく、テレビ以外の液晶表示器であっても良い。例えばＰＣ用の液晶モニター等が挙げられる。最近は、こうしたＰＣ用の液晶モニターであってもＴＶチューナーを備え、ＴＶが視聴可能な機種が普及しつつあり、そのような機種には通常、テレビと同様に操作リモコンを装備している場合が多く、本実施例同様に適用することが可能である。
【００６４】
３．更に、液晶テレビ以外のＴＦＴ液晶表示器で操作用リモコンを備えていない場合には、別途、コモン電圧値データをワイヤレスで送受信可能な機構を組み込んで実施しても良い。この場合、コストアップには繋がるが、正確且つ迅速で、高い作業性を兼ね備えたフリッカー調整を行い得るという優れた作用効果が得られる。
【００６５】
４．本実施例におけるフリッカー調整装置において、フリッカー調整装置から液晶テレビへのコモン電圧データ送信をワイヤレスで行う構成と、直前の調整時に求めたフリッカー調整値（Ｆｂ）を次の調整時のコモン電圧初期値（Ｖｃｏｍ０）に置換した上で演算する構成の何れか一方、或いは両方を省略するようにしても良い。この場合、省略した構成が奏する作用効果は得られなくなるが、残りの構成による作用効果は引き続き得られる。
【００６６】
５．制御手段は、本実施例におけるＰＣに限定されるものではなく、同様の演算処理が可能な他の制御手段を適用しても良い。更に、カラーアナライザ、リモコン信号発生器、制御手段とを一体化したフリッカー調整装置としても良い。
【００６７】
６．フリッカー調整装置は、本実施例における暗室ボックスに設けられる構成に限定はされず、他の設置形態であっても良い。例えば、カラーアナライザの周囲にのみ覆いを設けるような構成が挙げられる。
【００６８】
７．フリッカー調整装置は、生産工程のライン上に配置される構成には限定されず、他の設置形態であっても良い。例えば、セル生産方式を採用するような生産工程においては、セル毎にバッジ形態で配置する構成が挙げられる。
【００６９】
８．フリッカー調整装置は、生産工程で実施する構成には限定されない。例えば、研究開発現場等で実施する構成が挙げられる。
【００７０】
９．本実施例における、液晶テレビ全体の構成、及び当該液晶テレビに設けられた受信部及びコモン電圧変更処理部の具体的な構成はあくまで一例に過ぎず、同様な機能を奏すれば適宜、変更可能である。
【００７１】
１０．受信部とリモコン信号発生器との間でワイヤレスで行われるコモン電圧データの送受信は、本実施例におけるような赤外光による方法に限定はされず、他の送信方法を用いても良い。例えば、無線による送受信が挙げられる。
【００７２】
１１．以上に述べたフリッカー調整装置は装置としての構成のみならず、方法としても提供し得るのは言うまでも無い。
【産業上の利用可能性】
【００７３】
生産工程におけるＴＦＴ液晶表示器のフリッカー調整について、フリッカー調整装置から液晶テレビへのコモン電圧データ送信をワイヤレスで自動的に行うようにすることで、正確且つ迅速で、高い作業性を兼ね備えたフリッカー調整を低コストに行い得るフリッカー調整装置、及びフリッカー調整方法を提供する。
【図面の簡単な説明】
【００７４】
【図１】本発明の実施例１を説明する概略斜視図である。
【図２】本発明の実施例１を説明するブロック図である。
【図３】本発明の実施例１を説明するブロック図である。
【図４】本発明の実施例１を説明するブロック図である。
【図５】本発明の実施例１を説明するフローチャートである。
【図６】本発明の実施例１を説明するグラフである。
【図７】本発明の実施例１を説明するブロック図である。
【符号の説明】
【００７５】
１１…フリッカー調整装置
１１ａ…カラーアナライザ
１１ｂ…リモコン信号発生器
１１ｃ…制御手段としてのＰＣ
１３…ＴＦＴ液晶表示器としての液晶テレビ
１３ａ…受信部
１３ｂ…コモン電圧変更処理部
【図１】
2006215500.tif 000003
【図２】
2006215500.tif 000004
【図３】
2006215500.tif 000005
【図４】
2006215500.tif 000006
【図５】
2006215500.tif 000007
【図６】
2006215500.tif 000008
【図７】
2006215500.tif 000009